(57)【要約】【課題】常時同じ記録パラメータで記録することがなく、外部センサーなどが稼動した場合に通常の録画と異なるパラメータで録画されたり、また監視対象の状態により記録が不定期に停止されたりする場合であっても、あらかじめ設定した時間分の映像を記録する監視録画装置を得る。【解決手段】監視録画装置は、所望の録画時間を指定することにより、監視カメラの映像を記録するパラメータを可変にして、指定した録画時間分の映像を録画する監視録画装置において、上記指定した録画時間分の映像を録画したときの映像データが記録媒体全体に占める割合が予め定めた値に近づくように、定期的に上記パラメータを可変する手段を備えた。【選択図】図１
2010087983.tif 000002
【特許請求の範囲】
【請求項１】
所望の録画時間を指定することにより、監視カメラの映像を記録するパラメータを可変にして、指定した録画時間分の映像を録画する監視録画装置において、
上記指定した録画時間分の映像を録画したときの映像データが記録媒体全体に占める割合が予め定めた値に近づくように、定期的に上記パラメータを可変する手段を備えたことを特徴とする監視録画装置。
【請求項２】
上記指定した録画時間分の映像を録画したときの映像データが上記記録媒体全体に占める割合の希望値を、指定可能としたことを特徴とする請求項１に記載の監視録画装置。
【請求項３】
上記パラメータは、解像度、画質および記録間隔であることを特徴とする請求項１に記載の監視録画装置。
【請求項４】
上記パラメータそれぞれに対して、変更可能な範囲を指定できることを特徴とする請求項３に記載の監視録画装置。
【請求項５】
上記解像度、上記画質または上記記録間隔のいずれか一つに対して優先順位を付けることを特徴とする請求項３または４に記載の監視録画装置。
【発明の詳細な説明】
【技術分野】
【０００１】
この発明は、あらかじめ録画したい映像の時間を設定可能とし、設定した時聞分の映像を記録したときの記録媒体の消費率を、ある値に近づけるように自動的に記録を制御する監視録画装置に関する。
【背景技術】
【０００２】
従来の監視録画装置においては、映像録画時間を使用者が指定可能な入力手段と、指定した映像録画時間と記録可能な残容量の関係を満足する録画パラメータを算出する手段を設け、算出された録画パラメータと記録可能時間を表示し、使用者がその録画パラメータで記録を実行すると判断した場合には、監視録画装置に対して指定した録画パラメータの設定を行うという構成にしている（例えば、特許文献１参照）。
【０００３】
【特許文献１】特開２００１−８６４５７号公報
【発明の開示】
【発明が解決しようとする課題】
【０００４】
従来の監視録画装置では、監視録画装置に設定された録画パラメータは、再び設定されるまで同じ録画パラメータで記録するという構成になっているから、外部センサーなどが稼動した場合に通常の録画と異なるパラメータで録画を行うアラーム記録など、記録可能時間が変化し、使用者が必要とする記録時間を満足することができない可能性がある機能は、警告表示を行って使用しないように促すため、監視録画装置に搭載されている便利な機能が生かせないという問題点があった。
また、エレベーター内の映像など、常時記録するのではなく人物が乗車している場合のみ記録する機能を持つ監視録画装置の場合、不必要に余分な容量が出てしまうという問題点もあった。
【０００５】
この発明は、常時同じ記録パラメータで記録することがなく、外部センサーなどが稼動した場合に通常の録画と異なるパラメータで録画されたり、また監視対象の状態により記録が不定期に停止されたりする場合であっても、あらかじめ設定した時間分の映像を記録する監視録画装置を得ることを目的としている。
【課題を解決するための手段】
【０００６】
この発明に係る監視録画装置は、所望の録画時間を指定することにより、監視カメラの映像を記録するパラメータを可変にして、指定した録画時間分の映像を録画する監視録画装置において、上記指定した録画時間分の映像を録画したときの映像データが記録媒体全体に占める割合が予め定めた値に近づくように、定期的に上記パラメータを可変する手段を備えた。
【発明の効果】
【０００７】
この発明に係る監視録画装置の効果は、周期的に所定期間の間に記録した画像デ一タの容量を算出して、現在の記録パラメータのまま継続して記録し続けたとき、あらかじめ与えられた記録したい時間分の画像が記録可能かどうか、また必要以上に記録媒体が余らないかを判断する手段を設けるように構成したので、記録状況に合わせて記録媒体を無駄なく消費しつつ、希望した時間の映像を継続して記録し続けることができることである。
【０００８】
また、一定期間に記録した画像データの容量を算出して、定期的に記録パラメータを適切な値に変更するように構成したので、不審者の進入などを検知する外部センサーなどが稼動したときに、通常時よりも良い画質で、しかも単位時間当たりの枚数も多く記録する機能のために、通常時よりも早く記録媒体を消費したとしても、記録媒体の不足によりあらかじめ設定した時間分の映像が記録できないという事態を避けることができることである。
【発明を実施するための最良の形態】
【０００９】
実施の形態１．
図１は、この発明の実施の形態１に係る監視録画装置の全体構成図である。
この発明の実施の形態１に係る監視録画装置２は、図１に示すように、監視対象を撮影する監視カメラ１から映像信号が入力され、監視室などに設置され監視録画装置２から出力される映像情報を表示するモニタ３、監視録画装置２を操作するリモコン４が付属する。
【００１０】
この発明の実施の形態１に係る監視録画装置２は、映像を記録するタイミング信号と、映像の記録と関連づけて記録する日時情報を出力する時計装置１０１、監視カメラ１が撮影した映像を画像処理し、映像の変化の有無や、人物の異常行動、監視区域の侵入者、エレベーターの乗降者の有無などを判別し出力する画像処理手段１０２を有する。
【００１１】
また、監視録画装置２は、監視カメラ１が撮影した映像を符号化し、画像情報を記録する画像記録手段１０３、時計装置１０１から入力した日時情報を記録する日時記録手段１０４、記録制御手段１０５、記録容量算出手段１１２、種々のパラメータを記録するパラメータ記憶部１２０、テーブル記憶部１３０を有する。
パラメータ記憶部１２０は、映像を記録する条件を示す記録パラメータを記憶する記録パラメータ領域１２１、映像の記録時間を示す記録時間パラメータを記憶する記録時間パラメータ領域１２２を有する。
記録制御手段１０５は、画像処理手段１０２から入力した映像の変化を表す情報と、時計装置１０１から入力した記録タイミングのいずれかが記録パラメータ領域１２１に設定された記録条件と合致したときに、画像記録手段１０３、日時記録手段１０４に対して記録動作を指令し、日時情報および、画像情報を記録させる。
【００１２】
テーブル記憶部１３０は、画像テーブル１３１、日時テーブル１３２、記録容量テーブル１３３、記録パラメータ変更基準テーブル１３４を有する。
画像記録手段１０３が画像テーブル１３１に、日時記録手段１０４が日時テーブル１３２に各々情報を記憶する。従って、記録制御手段１０５は、画像記録手段１０３、および日時記録手段１０４に、同時に記録する情報を、相互に関連付けて記録させるための記録指令を出力する。記録制御手段１０５から記録指令が出力されると、画像記録手段１０３、日時記録手段１０４はそれぞれ画像テーブル１３１と日時テーブル１３２とに画像情報と日時情報とを関連付けて格納する。
【００１３】
また、監視録画装置２は、リモコン４から送信されるコマンドを受信するコマンド受信手段１０６、受信したコマンドの意味を解析するコマンド解析手段１０７、検索制御手段１０９、画像再生手段１１０、表示制御手段１１１を有する。
コマンド解析手段１０７は、コマンドの解析結果により、パラメータ設定変更手段１０８に対してパラメータの変更指示や、検索制御手段１０９に対して検索指示を行う。
検索制御手段１０９は、コマンド解析手段１０７の指示を受けて、テーブル記憶部１３０に記憶された画像データを検索する。
画像再生手段１１０は、検索制御手段１０９にて検索抽出された、画像テーブル１３１の符号化された記録画像を、復号化して再生する。
表示制御手段１１１は、モニタ３に表示する画像情報、日時情報を組み合わせて表示画面を構成し、映像信号に変換して出力する。
【００１４】
図２は、記録パラメータ領域１２１に記憶されている記録パラメータを入力するときのモニタ画面である。
次に、パラメータ記憶部１２０に記録されている記録パラメータと、記録時間パラメータについて説明する。
記録パラメータは、例えば、記録する監視画像の解像度、画質、フレームレート、人物が撮影されている場面のみが記録する人物検出記録などの特殊モードの設定など、主に記録制御手段１０５に使用されるパラメータである。
図３は、記録時間パラメータ領域１２２に記憶されている記録時間パラメータを入力するときのモニタ画面である。
記録時間パラメータは、記録時間制御に使用されるパラメータであり、記録媒体内に記録したい映像の長さである。
【００１５】
記録容量算出手段１１２は、ある所定の期間に画像テーブル１３１に記録した画像データの量を算出し、記録容量テーブル１３３に算出した画像データの量を書き込む。
記録パラメータ変更基準更新手段１１３は、記録時間パラメータ領域１２２に記憶されている記録したい長さの映像を記録するための容量を媒体内に確保するための記録パラメータの変更基準を算出し、記録パラメータ変更基準テーブル１３４を更新する。
記録時間判定手段１１４は、記録容量テーブル１３３と記録パラメータ変更基準テーブル１３４の内容を参照し、記録時間パラメータ領域１２２に記憶されている記録要求時間分の映像を記録できるように、また、必要以上に記録媒体の容量が余らないように記録パラメータを変更する。
【００１６】
次に、この発明の実施の形態１に係る監視録画装置の動作を図４から図８を参照しながら説明する。
図４は、この発明の実施の形態１に係る監視録画装置の画像記録に関する処理全体の手順を示すフローチャートである。図５は、この発明の実施の形態１に係る監視録画装置の記録パラメータ変更基準テーブルの一例である。図６は、発明の実施の形態１に係る監視録画装置での記録パラメータ変更処理の手順を示すフローチャートである。図７は、図５の記録パラメータ変更基準テーブルの値を模式的に表した模式図である。図８は、この発明の実施の形態１に係る監視録画装置の記録容量テーブルの一例である。
【００１７】
最初に、図４のフローチャートを参照して画像記録に関する処理全体の手順を説明する。
画像記録を実行するに当たりリモコン４にて、記録パラメータおよび記録時間パラメータの設定を行い、リモコン４の録画ボタンを押下することにより、画像の記録処理がスタートする。
先ず、ステップＳ１にて記録パラメータ変更基準更新手段１１３が記録時間パラメータを参照して、記録パラメータ変更基準テーブル１３４を更新する。
【００１８】
この記録パラメータ変更基準テーブル１３４について、図５、６を用いて説明する。
図５は、この発明の実施の形態１に係る記録パラメータ変更基準テーブル１３４である。説明を分かり易くするために、解像度は「粗」か「細」、画質は「低」か「中」、フレームレートは「１」か「２」にそれぞれ２段階で設定することが可能とする。各パラメータの設定値の組み合わせは、８通りとなり、それぞれのパラメータで単位時間あたりの画像を記録した場合に消費するデータ量の多い順に並べ、記録パラメータ変更基準テーブル１３４を作成する。
【００１９】
図５に示す記録パラメータ変更基準テーブル１３４は、記録パラメータ領域１２１に設定された、記録要求時間Ｔｅを元に作成したものである。記録要求時間Ｔｅは、Ｔｅ時間分の画像を記録したとき、そのときの画像データの容量が、記録媒体全体の容量に近づけるような記録制御をすることを意味する。表中、一番左の列が現在設定されている記録パラメータを示す。例えば、「細低１」とは、解像度が「細」、画質が「低」、フレームレートが「１」であることを意味する。一番上の行は、変更すべき記録パラメータ設定値である。つまり、現在の記録パラメータが「細低１」であった場合、「細低１」の行を見ていくと｛Ｒ４１、Ｒ４２、Ｒ４３、５０、Ｒ４５、Ｒ４６、Ｒ４７、Ｒ４８｝という８つの数字が並んでいることが分かる。それらの数字は、記録した画像データの記録媒体全体における消費率を示している。
図６は、現在の記録パラメータが「細低１」であった場合の記録パラメータ変更動作フローを示す。本動作フローの詳細は、図４のステップＳ１１にて説明する。また、図７は図５の記録パラメータ変更基準テーブルを模式的に表したものである。
【００２０】
図４のステップＳ１にて記録パラメータ変更基準更新手段１１３による記録パラメータ変更基準テーブル１３４の更新が終わると、ステップＳ２にて記録時間タイマーＴＳの値を０に初期化する。
次に、ステップＳ３にて記録容量テーブル１３３を初期化し、ステップＳ４にて記録容量テーブル更新タイマーＴＣの値を０に初期化する。ＴＳは記録パラメータを、定期的（ＴＳＡ経過ごと）に更新するためのタイマーであり、ＴＣは記録容量テーブルを定期的（ＴＣＡ経過ごと）に更新するためのタイマーである。これらステップＳ１からステップＳ４は、画像記録における初期設定処理である。
【００２１】
次に、ステップＳ５とＳ６にて監視カメラ１で撮影された映像が、符号化されて日時データと共にテーブル記憶部１３０に記録される。具体的には、ステップＳ５にて画像記録手段１０３が、画像処理手段１０２において符号化された画像データを画像テーブル１３１に記録する。それと同時に、ステップＳ６で日時記録手段１０４が時計装置１０１の値を日時テーブル１３２に記録する。
【００２２】
次に、ステップＳ７からＳ９では、一定時間ＴＣＡ経過ごとに記録容量算出手段１１２が記録容量テーブル１３３を更新する。具体的には、ステップＳ７にて記録容量テーブル更新タイマーＴＣを用いて、記録容量テーブル１３３が初期化後、または前回更新された後、一定時間経過したかどうかを判断し、経過したならばステップＳ８にて記録容量テーブル１３３を更新し、ステップＳ９にて記録容量テーブル更新タイマーＴＣを０に初期化する。
【００２３】
図８は、記録容量テーブル１３３の一例である。
記録容量テーブル１３３は、ある有限個の数値を格納する表であり、記録容量テーブル１３３の更新周期ＴＣＡの期間中に記録した画像データの容量を、順番に記録したものである。表の大きさは、記録時間パラメータの記録要求時間Ｔｅの取りうる最大値分準備する。ここでは、Ｔｅの最大値を９０日、記録容量テーブル更新周期ＴＣＡを半日とした場合の表である。この記録容量テーブル１３３は、記録時間判定手段１１４にて参照され、記録パラメータ変更要否の判断処理に使用される。
【００２４】
次に、図４のステップＳ１０からＳ１３では、一定時間ＴＣＡ経過ごとに記録時間判定手段１１４が記録時間パラメータ領域１２２と記録容量テーブル１３３と記録パラメータ変更基準テーブル１３４を参照し、記録時間パラメータ領域１２２に記憶されている記録要求時間分の映像を記録できるように、また必要以上に記録媒体の容量が余らないように、必要に応じて記録パラメータ領域１２１の更新指令を出す。具体的には、ステップＳ１０にて記録時間タイマーＴＳを用いて、記録開始後、または前回記録パラメータの変更要否を判断した後、一定時間（ここでは記録時間パラメータ領域１２２に記憶されている記録要求時間Ｔｅの半分の時間とする）経過したかどうかを判断し、経過したならばステップＳ１１にて、現在の記録パラメータのまま継続して記録した場合に、記録要求時間Ｔｅ分の映像を記録できるか、また必要以上に記録媒体の容量が余らないかを判断し、記録パラメータの変更が必要であると判断した場合はステップＳ１２にてパラメータ設定変更手段１０８に対して記録パラメータの変更指示をし、ステップＳ１３にて記録時間タイマーＴＳを０に初期化する。
【００２５】
次に、現在の記録パラメータが「細低１」である場合の、記録時間判定手段１１４の具体的な処理（図４のステップＳ１１及びステップＳ１２に相当）を、図６の動作フローを用いて説明する。
先ず、ステップＳ２１にて、記録容量テーブル１３３を参照して、現在からさかのぼって記録要求時間Ｔｅの半分の時間に記録した画像データの容量を計算し、その結果が監視録画装置２の記録媒体全体に占める割合、すなわち記録媒体消費率Ｒｎを算出する。
次に、図５に示す記録パラメータ変更基準テーブル１３４の「細低１」の行を参照し、ステップＳ２２にて、ＲｎがＲ４１未満である場合は、ステップＳ２３にて記録パラメータを「細中２」に変更して処理は終了する。ＲｎがＲ４１以上である場合は、ステップＳ２４にて、ＲｎがＲ４１以上且つＲ４２未満であるかを判断し、ＲｎがＲ４１以上且つＲ４２未満である場合はステップＳ２５にて記録パラメータを「細低２」に変更して処理は終了する。
【００２６】
また、ＲｎがＲ４１以上且つＲ４２未満でなければ、ステップＳ２６にて、ＲｎがＲ４２以上且つＲ４３未満であるかを判断し、ＲｎがＲ４２以上且つＲ４３未満である場合はステップＳ２７にて記録パラメータを「細中１」に変更して処理は終了する。
また、ＲｎがＲ４２以上且つＲ４３未満でなければ、ステップＳ２８にて、ＲｎがＲ４３以上且つ５０未満であるかを判断し、ＲｎがＲ４３以上且つ５０未満である場合はそのまま処理は終了する。
【００２７】
また、ＲｎがＲ４３以上且つ５０未満でなければ、ステップＳ２９にて、Ｒｎが５０以上且つＲ４５未満であるかを判断し、Ｒｎが５０以上且つＲ４５未満である場合はステップＳ３０にて記録パラメータを「粗中２」に変更して処理は終了する。
また、Ｒｎが５０以上且つＲ４５未満でなければ、ステップＳ３１にて、ＲｎがＲ４５以上且つＲ４６未満であるかを判断し、ＲｎがＲ４５以上且つＲ４６未満である場合はステップＳ３２にて記録パラメータを「粗低２」に変更して処理は終了する。
また、ＲｎがＲ４５以上且つＲ４６未満でなければ、ステップＳ３３にて、ＲｎがＲ４６以上且つＲ４７未満であるかを判断し、ＲｎがＲ４６以上且つＲ４７未満である場合はステップＳ３４にて記録パラメータを「粗中１」に変更して処理は終了する。
【００２８】
また、ＲｎがＲ４６以上且つＲ４７未満でなければ、ステップＳ３５にて、ＲｎがＲ４７以上且つＲ４８未満であるかを判断し、ＲｎがＲ４７以上且つＲ４８未満である場合はステップＳ３６にて記録パラメータを「粗低１」に変更して処理は終了する。
また、ＲｎがＲ４７以上且つＲ４８未満でなければ、ステップＳ３７にて記録パラメータを「粗低１」に変更して処理は終了する。
【００２９】
図６の動作フロー上では表現できないが、ステップＳ３６とステップＳ３７は同じ処理であるが、ステップＳ３６で記録パラメータを「細低１」に変更した場合は、Ｔｅ時間分の画像を記録したときの画像データは記録媒体全体の容量に近づくが、ステップＳ３７で記録パラメータを「細低１」に変更した場合は、計算上、Ｔｅ時間分の画像データの容量は、記録媒体全体の容量を超えてしまうため、つまりはＴｅ時間分の画像を記録することができないという違いがある。
【００３０】
最後に、図４のステップＳ１４にてコマンド解析手段１０７がリモコン４の停止ボタンが押下されたかを判断し、押下されるまでステップＳ５からステップＳ１３までの処理を繰り返し行う。
【００３１】
この発明の実施の形態１に係る監視録画装置２は、周期的に一定期間の間に記録した画像データの容量を算出して、現在の記録パラメータのまま継続して記録し続けたとき、あらかじめ与えられた記録したい時間分の画像が記録可能かどうか、また必要以上に記録媒体が余らないかを判断する手段を設けるように構成したので、記録状況に合わせて記録媒体を無駄なく消費しつつ、希望した時間の映像を継続して記録し続けることができる。
【００３２】
実施の形態２．
なお、上述の実施の形態１に係る監視録画装置では、記録要求時間Ｔｅ分の画像を記録したとき、そのときの画像データの容量が記録媒体全体の容量に近づけるように構成したが、記録要求時間Ｔｅ分の画像を記録したときの画像データの容量が記録媒体全体の容量に占める割合を指定できるように構成してもよい。
図９は、この発明の実施の形態２に係る監視録画装置において記録時間パラメータを入力するモニタ３の画面である。
この発明の実施の形態２に係る監視録画装置における記録時間パラメータは、記録媒体内に記録したい映像の長さである記録要求時間Ｔｅと、そのときの記録媒体希望消費率Ｒｅである。
図１０は、この発明の実施の形態２に係る監視録画装置における記録パラメータ変更基準テーブルである。
この記録パラメータ変更基準テーブル１３４は、記録パラメータ領域１２１に設定された記録要求時間Ｔｅおよび記録媒体希望消費率Ｒｅを元に作成されたものである。記録要求時間Ｔｅおよび記録媒体希望消費率Ｒｅは、Ｔｅ時間分の画像を記録したとき、そのときの記録媒体全体に占める画像データの消費率をＲｅ以内に近づけるような記録制御をすることを意味する。
図１１は、この発明の実施の形態２に係る監視録画装置における現在の記録パラメータが「細低１」であった場合の記録パラメータ変更動作フローを示す。図１２は、図１０の記録パラメータ変更基準テーブルを模式的に表したものである。
【００３３】
この発明の実施の形態２に係る監視録画装置によれば、記録媒体内に記録したい映像の長さとしての記録要求時間Ｔｅ分の画像を記録したとき、そのときの記録媒体全体に占める画像データの消費率すなわち記録媒体希望消費率Ｒｅを設定できるように構成したので、単位時間当たりの画像データの大きさがある割合の範囲内で変動するような場合において、記録媒体内に記録したい映像の長さが記録要求時間Ｔｅ分の画像を記録することができない事態を防ぐことができる。
つまり、単位時間あたりの画像データの大きさが、５％の範囲で変動することが分かっているとき、記録媒体希望消費率Ｒｅを少なくとも９５％に、２倍の裕度を持たせれば９０％に設定することにより、記録媒体内に記録したい映像の長さが記録要求時間Ｔｅ分の画像を記録することができない事態を完全に防ぐことができる。
【００３４】
実施の形態３．
なお、上述の実施の形態１および２に係る監視録画装置では、記録時間判定手段１１４において、記録パラメータの設定範囲全体を変更するように構成したが、記録パラメータごとに、変更を許可する値の範囲を指定できるように構成してもよい。
図１３は、この発明の実施の形態３に係る監視録画装置において記録パラメータを入力するモニタの画面である。図１４は、この発明の実施の形態３に係る監視録画装置において記録時間パラメータを入力するモニタの画面である。
この発明の実施の形態３に係る監視録画装置における記録パラメータは、画質は３段階、フレームレートは５段階の設定が可能である。また、この発明の実施の形態３に係る監視録画装置における記録時間パラメータは、記録媒体内に記録したい映像の長さである記録要求時間Ｔｅおよびそのときの記録媒体希望消費率Ｒｅに加えて、記録パラメータ調整範囲を指定できるように、解像度調整範囲、画質調整範囲およびフレームレート調整範囲というパラメータを設定できるようにしている。
【００３５】
つまり、画質をあまり高画質で記録する必要がない場合や、あまり高フレームレートで記録する必要がない場合、また、あまり低フレームレートでも記録したくない場合など、記録パラメータごとに変更を許可する値の範囲を指定できるようにしたものである。
図１４に示した記録時間パラメータは、画質は３段階の設定が可能であるが、調整範囲を「低」と「中」に、フレームレートは５段階の設定が可能であるが、調整範囲を「１」と「２」に設定しているため、記録パラメータ変更基準更新手段１１３で更新される記録パラメータ変更基準テーブル１３４は、結果的に図５と図１０に記載しているテーブルと同じものが使用されて、実施の形態１および実施の形態２と同様の動作を行わせることができる。
【００３６】
この発明の実施の形態３に係る監視録画装置によれば、記録パラメ一タの調整範囲を指定できるように構成したので、画質をあまり高画質で記録する必要がない場合や、あまり高フレームレートで記録する必要がない場合、また、あまり低フレームレートでも記録したくない場合など、監視対象の特徴や使用者の希望に合わせた記録制御をすることができる。
【００３７】
実施の形態４．
なお、上述の実施の形態１および２に係る監視録画装置の記録時間判定手段１１４において、記録パラメータの設定範囲全体を変更するように構成したが、記録パラメータのうちでできるだけ変更したくないパラメータを指定できるように構成してもよい。
図１５は、この発明の実施の形態４に係る監視録画装置における記録時間パラメータを入力するモニタの画面である。
この発明の実施の形態４に係る監視録画装置における記録時間パラメータは、優先指定として、解像度画質、フレームレートの中から、できるだけ変更したくないパラメータを１つ指定できるようにしている。例えば、現在のフレームレートが「１」で、且つ、図１５のようにフレームレートを優先指定された場合には、記録パラメータ変更基準テーブル１３４において、図１６で網掛けした部分、すなわち、フレームレートが「１」以外の部分については、記録時間判定手段１１４では参照せず、この網掛けの部分を除いた図１７に示す記録パラメータ変更基準テーブルを参照して、記録パラメータの変更制御を行う。
【００３８】
次に、この発明の実施の形態４に係る記録時間判定手段１１４の動作フローを図１８と図１９を用いて説明する。
図１８は、現在の記録パラメータが「細中１」のときの動作フローを示す。
実施の形態１から３で示した動作フローに加えて、ステップＳ６２とステップＳ６３の処理が新たに追加されている。すなわち、「細中１」は図１７の記録パラメータ変更基準テーブルから分かるように単位時間当たりの画像データ量がもっとも多い記録パラメータであり、言い換えるとこれ以上単位時間当たりの画像データ量を増加させることができない状態である。それにもかかわらず、ステップＳ６２で、現在からさかのぼって記録要求時間Ｔｅの半分の時間に記録した画像データの記録媒体消費率Ｒｎが、そのときの記録媒体希望消費率Ｒｅの１／４にも満たない場合、すなわち、計算上、記録要求時間Ｔｅ分の画像を記録しても、監視録画装置の記憶媒体全体の半分にも満たない状況になることが予想されるかを判断し、もしそのような状況であれば、ステップＳ６３でフレームレートを１段階高く変更し、記録パラメータを「細中２」に変更する。
【００３９】
記録パラメータを「細中２」に変更したあとについても、これまで同様に、フレームレートを優先指定されているので、記録時間判定手段１１４においては、図１９で網掛けした部分、すなわち、フレームレートが「２」以外の部分については参照せず、この網掛けの部分を除いた図２０に示す記録パラメータ変更基準テーブルを参照して、記録パラメータの変更制御を行うことになる。
【００４０】
同様に、現在の記録パラメータが「粗低１」のときの動作フローを図２１に示す。
実施の形態１乃至３で示した動作フローに加えて、ステップＳ８８の処理が新たに追加されている。すなわち、「粗低１」は図１７の記録パラメータ変更基準テーブルから分かるように単位時間当たりの画像データ量がもっとも少ない記録パラメータであり、言い換えるとこれ以上単位時間当たりの画像データ量を減少させることができない状態である。
それにもかかわらず、ステップＳ８６の条件が満たされない場合というのは、計算上、記録要求時間Ｔｅ分の画像を記録した場合の記録媒体消費率Ｒｎが、記録媒体希望消費率Ｒｅを超えてしまうことが予想される場合であるので、もしそのような状況であれば、ステップＳ８８でフレームレートを１段階低く変更し、記録パラメータを「粗低０．５」に変更して記録を継続する。
記録パラメータを「粗低０．５」に変更したあとについても、これまで同様に、フレームレートを優先指定されているので、記録時間判定手段１１４においては、フレームレートが「０．５」以外の部分については参照せず、記録パラメータの変更制御を行うことになる。
【００４１】
なお、フレームレートを優先指定されている場合について述べたが、解像度や画質を優先指定された場合についても、処理内容については同様であるということはいうまでもない。
【００４２】
この発明の実施の形態４に係る監視録画装置によれば、記録パラメータのうちで、できるだけ変更したくないパラメータを指定できるように構成したので、画質やフレームレートをできる限り固定して記録したい場合など、監視対象の特徴や使用者の希望に合わせた記録制御をすることができる。
【図面の簡単な説明】
【００４３】
【図１】この発明の実施の形態１に係る監視録画装置の全体構成図である。
【図２】この発明の実施の形態１に係る監視録画装置に記録パラメータを入力するときのモニタ画面である。
【図３】この発明の実施の形態１に係る監視録画装置に記録時間パラメータを入力するときのモニタ画面である。
【図４】この発明の実施の形態１に係る監視録画装置の画像記録に関する処理全体の手順を示すフローチャートである。
【図５】この発明の実施の形態１に係る監視録画装置の記録パラメータ変更基準テーブルの一例である。
【図６】この発明の実施の形態１に係る監視録画装置での記録パラメータ変更処理の手順を示すフローチャートである。
【図７】図５の記録パラメータ変更基準テーブルの値を模式的に表した模式図である。
【図８】この発明の実施の形態１に係る監視録画装置の記録容量テーブルの一例である。
【図９】この発明の実施の形態２に係る監視録画装置に記録時間パラメータを入力するときのモニタ画面である。
【図１０】この発明の実施の形態２に係る監視録画装置の記録パラメータ変更基準テーブルの一例である。
【図１１】この発明の実施の形態２に係る監視録画装置での記録パラメータ変更処理の手順を示すフローチャートである。
【図１２】図１０の記録パラメータ変更基準テーブルの値を模式的に表した模式図である。
【図１３】この発明の実施の形態３に係る監視録画装置に記録パラメータを入力するときのモニタ画面である。
【図１４】この発明の実施の形態３に係る監視録画装置に記録時間パラメータを入力するときのモニタ画面である。
【図１５】この発明の実施の形態４に係る監視録画装置に記録時間パラメータを入力するときのモニタ画面である。
【図１６】この発明の実施の形態４に係る監視録画装置の記録パラメータ変更基準テーブルの一例である。
【図１７】図１６の記録パラメータ変更基準テーブルの有効成分だけ抜き出した記録パラメータ変更基準テーブルである。
【図１８】この発明の実施の形態４に係る監視録画装置での記録パラメータ変更処理の手順を示すフローチャートである。
【図１９】この発明の実施の形態４に係る監視録画装置の記録パラメータ変更基準テーブルの他の一例である。
【図２０】図１９の記録パラメータ変更基準テーブルの有効成分だけ抜き出した記録パラメータ変更基準テーブルである。
【図２１】この発明の実施の形態４に係る監視録画装置での記録パラメータ変更処理の他の手順を示すフローチャートである。
【符号の説明】
【００４４】
１  監視カメラ、２  監視録画装置、３  モニタ、４  リモコン、１０１  時計装置、１０２  画像処理手段、１０３  画像記録手段、１０４  日時記録手段、１０５  記録制御手段、１０６  コマンド受信手段、１０７  コマンド解析手段、１０８  パラメータ設定変更手段、１０９  検索制御手段、１１０  画像再生手段、１１１  表示制御手段、１１２  記録容量算出手段、１１３  記録パラメータ変更基準更新手段、１１４  記録時間判定手段、１２０  パラメータ記録部、１２１  記録パラメータ領域、１２２  記録時間パラメータ領域、１３０  テーブル記憶部、１３１  画像テーブル、１３２  日時テーブル、１３３  記録容量テーブル、１３４  記録パラメータ変更基準テーブル。
【図１】
2010087983.tif 000003
【図２】
2010087983.tif 000004
【図３】
2010087983.tif 000005
【図４】
2010087983.tif 000006
【図５】
2010087983.tif 000007
【図６】
2010087983.tif 000008
【図７】
2010087983.tif 000009
【図８】
2010087983.tif 000010
【図９】
2010087983.tif 000011
【図１０】
2010087983.tif 000012
【図１１】
2010087983.tif 000013
【図１２】
2010087983.tif 000014
【図１３】
2010087983.tif 000015
【図１４】
2010087983.tif 000016
【図１５】
2010087983.tif 000017
【図１６】
2010087983.tif 000018
【図１７】
2010087983.tif 000019
【図１８】
2010087983.tif 000020
【図１９】
2010087983.tif 000021
【図２０】
2010087983.tif 000022
【図２１】
2010087983.tif 000023